(57)【要約】【課題】紫外線を用いてサウナ内部の殺菌を行い、清掃を効率良く、簡易に行うことが可能なサウナを提供する。【解決手段】サウナ１０は、ボックス本体１１と、ボックス本体１１内に人が入っているか否かを検出する開閉センサー１８と、開閉センサー１８の検出結果に基づき、ボックス本体１１内に人が入っているとき（蓋１６が開いているとき）は消灯し、人が入っていないとき（蓋１６が閉じているとき）に点灯する紫外線照射ランプとを備える。【選択図】図２
2008035985.tif 000002
【特許請求の範囲】
【請求項１】
サウナ室と、
前記サウナ室内に設置された紫外線照射ランプと、
前記サウナ室に人が入っているか否かを検出するセンサーと、
前記センサーの検出結果に基づき、前記サウナ室内に人が入っているときは前記紫外線照射ランプを消灯させ、人が入っていないときは前記紫外線照射ランプを点灯させる制御装置とを備えることを特徴とするサウナ。
【請求項２】
前記サウナ室が、
人一人が入ることの可能な大きさのボックス本体と、
前記ボックス本体の上面に設けられ、前記ボックス本体に人が入っているとき当該人の頭部を外へ出せるように開かれ、前記ボックスに人が入っていないときに閉じられる蓋とをさらに備え、
前記センサーが前記蓋の開閉を検出する開閉センサーを含み、前記開閉センサーの検出結果に基づいて前記制御装置が前記紫外線照射ランプを点灯及び消灯させることを特徴とする請求項１に記載のサウナ。
【請求項３】
前記蓋がシャッター式であることを特徴とする請求項２に記載のサウナ。
【請求項４】
前記サウナ室が、前記ボックス内に配置された椅子と、前記椅子の下に設けられ蒸気を発生する蒸気発生装置と、前記ボックスの前面に設けられた出入り用扉とを有することを特徴とする請求項２又は３に記載のサウナ。
【請求項５】
前記センサーが前記サウナ室内に設けられた人感センサーを含み、前記人感センサーの検出結果に基づき前記制御装置が前記紫外線照射ランプを点灯及び消灯させることを特徴とする請求項１乃至４のいずれか一項に記載のサウナ。
【請求項６】
前記人感センサーが前記サウナ室内に複数個設けられていることを特徴とする請求項５に記載のサウナ。
【請求項７】
前記サウナ室の内面に無機コーティング材が塗布され、さらに光触媒コーティングが施されていることを特徴とする請求項１乃至６のいずれか一項に記載のサウナ。
【請求項８】
前記光触媒コーティングが無機材にホールドされたコーティングであることを特徴とする請求項７に記載のサウナ。
【発明の詳細な説明】
【技術分野】
【０００１】
本発明は、サウナに関し、特に、自動的にサウナ室内を殺菌することが可能なサウナに関するものである。
【背景技術】
【０００２】
一般的なサウナでは、利用されていない時や営業時間外等において、人が出入りする扉を開け、内部を換気して、防カビや除湿を行っている。しかし、ただ換気するだけでは、箱内部の隅々に雑菌が繁殖し易いという問題がある。そのため、人手による定期清掃が必要となり、非常に大きな労力を要してしまう。
【０００３】
そこで、特許文献１では、サウナ室内に殺菌灯を配設する発明が提案されている。この特許文献１は、サウナの照明スイッチや電源スイッチがオンとなっているとき、すなわち、サウナ室内に人が入っているときに連続的に殺菌を行うというものである。
【０００４】
なお、最近では、サウナの一種として、箱状の一人用サウナで、中に椅子があり、人がその椅子に座り、箱の上部から首から上（頭部）だけを外に出し、箱の中が高温のスチームで満たされる形態のもの（以下「ボックスサウナ」ともいう。）もある。このようなボックスサウナは、他の人の出入りがないため、箱内（室内）の温度を一定に保つことができるという利点がある。また、顔が高温のスチームにあたらないため、呼吸が楽であり、長時間入っていることが可能である。しかし、このボックスサウナにおいても、やはり雑菌が繁殖し易いという問題がある。
【特許文献１】特開昭６２−２５３０６５号公報
【発明の開示】
【発明が解決しようとする課題】
【０００５】
特許文献１において、効果の高い殺菌を行うためには、殺菌灯として紫外線を用いることが好ましい。しかしながら、特許文献１において殺菌灯に紫外線を用いた場合、サウナ室に入っている人の身体に害を与えてしまうこととなる。
【０００６】
また、上述ボックスサウナにおいても、特許文献１のような方法では、上記と同様、身体に害を与えるため紫外線を用いることはできない。
【０００７】
したがって、本発明の目的は、紫外線を用いてサウナ内部の殺菌を行い、清掃を効率良く、簡易に行うことが可能なサウナを提供することにある。
【課題を解決するための手段】
【０００８】
本発明の上記目的は、サウナ室と、前記サウナ室内に設置された紫外線照射ランプと、前記サウナ室に人が入っているか否かを検出するセンサーと、前記センサーの検出結果に基づき、前記サウナ室内に人が入っているときは前記紫外線照射ランプを消灯させ、人が入っていないときは前記紫外線照射ランプを点灯させる制御装置とを備えるサウナにより達成される。
【０００９】
また、本発明においては、前記サウナ室が、人一人が頭部を外へ出し椅子に座った状態で入ることの可能な大きさのボックスであり、前記ボックスの上面に設けられ、前記ボックスに人が入っているとき当該人の頭部を外へ出せるように開き、前記ボックスに人が入っていないときに閉じる蓋とをさらに備え、前記センサーが前記蓋の開閉を検出する開閉センサーを含み、前記開閉センサーの検出結果に基づいて前記制御装置が前記紫外線照射ランプを点灯及び消灯させることが好ましい。
【００１０】
本発明においては、前記蓋がシャッター式であってもよい。
【００１１】
本発明においては、前記センサーが前記サウナ室内に設けられていることが好ましい。
【００１２】
前記センサーが前記サウナ室内に複数個設けられていることが好ましい。これにより、子供がいたずら目的で中に入ってしまう可能性が高い場合でも、間違って紫外線照射ランプを点灯させてしまうことを防止できる。
【００１３】
本発明においては、前記サウナ室の内面に無機コーティング材が塗布され、さらに光触媒コーティングが施されていることが好ましい。
【００１４】
さらに、前記光触媒コーティングが無機材にホールドされたコーティングであることが好ましい。
【発明の効果】
【００１５】
本発明によれば、サウナ室内に紫外線照射ランプを設け、サウナ室内に人が入っているときは紫外線照射ランプを消灯し、人が入っていないときに点灯するよう構成したことにより、サウナ室内から人が出たわずかな時間でも紫外線照射によりサウナ室内部を殺菌処理することができる。また、人が長時間入っていないときは、サウナ室内部の殺菌処理も長時間行われることになり、清潔に保つことが可能となる。したがって、人手による清掃を非常に少なくすることができる。
【発明を実施するための最良の形態】
【００１６】
以下、添付図面を参照しながら、本発明の好ましい実施の形態について詳細に説明する。本実施形態は、本発明を一人用で、首を外へ出して入るタイプのサウナ（ボックスサウナ）に適用した例を示す。
本発明の好ましい第１の実施形態に係るサウナ１０の外観を示す略斜視図である。
【００１７】
図１に示すように、サウナ１０は、ボックス本体１１と、ボックス本体１１の前面に蝶番１３により取り付けられた出入り用扉１２と、出入り用扉１２を開閉するための取っ手１４と、ボックス本体１１の上面に開けられた頭部を外へ出すための開口１５と、閉じた状態では開口１５を塞ぐことができ、開けたときはその上部が枕代わりとなる蓋１６とを備えている。蓋１６は、板部１６ａ及び枕部１６ｂを有し、板部１６ａがボックス本体１１に蝶番１７により取り付けられている。また、蓋１６が閉じたときに開口１５の側面の蓋１６とが接続される面には、蓋１６が開いているか閉じているかを判断するための開閉センサー１８が設置されている。
【００１８】
図２は、図１のＡ−Ａ'線に沿ったサウナ１０の略断面図である。
【００１９】
図２に示すように、ボックス本体１１内部には、座板１９ａと背板１９ｂを有する椅子１９が配置されている。さらに、座板１９ａの下には、蒸気発生装置２０が設置されており、この蒸気発生装置２０は、外部から給水を受け、また電源に接続された制御盤へ接続されている。
【００２０】
また、図２に示すように、首を外へ出すための開口１５の側面１５ｓには、図１にも示したように、蓋１６の開閉センサー１８が設置されている。本実施形態の開閉センサー１８は押しボタンスイッチであり、蓋１６を開いたときは、図２に示すとおり、側面１５ｓから凸状に出ており、蓋１６を閉じたときは、蓋１６の底面１６ｓにより開閉センサー１８が押されて側面１５ｓ内に押し込まれることとなる。これにより、制御装置２２へ蓋１６の開閉を知らせることができる。
【００２１】
このように、本実施形態では、開閉センサー１８により、ボックス本体１１内部に人がいるか否かを判断している。
【００２２】
図３は、図１のＢ−Ｂ'線に沿ったサウナ１０の略断面図である。
【００２３】
図３に示すように、ボックス本体１１上部裏面の端には紫外線照射ランプ２１が取り付けられている。この紫外線照射ランプ２１は、図２に示す開閉センサー１８からの情報に基づき制御装置２２によって点灯／消灯が制御されるようになっている。すなわち、人がボックス内にいるときは紫外線照射ランプ２１が消灯し、人がボックス内にいないときは紫外線照射ランプ２１が点灯するように制御される。
【００２４】
なお、紫外線照射ランプ２１は、図３に示す位置に限らず、人がボックス本体１１内に入っているときに邪魔にならない場所であり、かつボックス本体１１内部全体の殺菌ができる位置であればどこに配置してもよく、１箇所でなく複数箇所に配置しても構わない。例えば、図３と反対側の上部裏面に配置すれば、ボックス本体１１内部全体を確実に殺菌処理することができる。
【００２５】
上記のように構成された本実施形態によるサウナ１０へ人が入るには、図１及び図２に示すように、取っ手１４を引いて出入り用扉１２を開け、さらに蓋１６を開けた後、ボックス本体１１内に配置された椅子１９に座り、出入り用扉１２を閉め、頭を枕部１６ｂに当てるようにする。このようにして、首だけを外へ出した状態で、身体を温めることができる。
【００２６】
また、サウナ１０から人が外へ出るときは、出入り用扉１２を開け、外へ出た後、出入り用扉１２及び蓋１６を閉める。なお、出入り用扉１２及び蓋１６の取り付け部の蝶番１３及び１７は、人が外へ出たときに閉め忘れることの無いよう、バネ式の蝶番を用いて自動的に閉まるようになっていることが好ましい。
【００２７】
そして、出入り用扉１２及び蓋１６が閉まると、図２に示す開閉センサー１８が、蓋１６が閉じたことを検出して制御装置２２にその情報を送り、制御装置２２が図３に示す紫外線照射ランプ２１を点灯させる。これにより、次に人が入るまでの間、サウナ１０内を紫外線照射ランプ２１により殺菌処理することができる。
【００２８】
また、次に人がサウナ１０に入ろうとして蓋１６を開けると、開閉センサー１８がこれを検出し、その情報を受けた制御装置２２が、紫外線照射ランプ２１を消灯させる。従って、人が紫外線を浴びてしまうことを防止することができる。
【００２９】
このように、本実施形態によれば、ある人がサウナ１０から出た後、次に別の人が入るまでの間がたとえ短時間であっても、人が入っていない間は常に紫外線照射ランプ２１が点灯するため、サウナ１０内部を清潔に保つことが可能となる。従って、清掃の手間も少なくて済むようになる。
【００３０】
図４は、本実施形態において蓋を変形したサウナ４０を示している。図４は、図２に対応する断面図である。図４では、蓋と開閉センサー以外は、図２と同様であるため説明は省略する。
【００３１】
図４に示すように、本変形例では、蓋４６がシャッター式となっている。すなわち、図２の板部１６ａの代わりにシャッター４６ａを用い、枕部１６ｂの代わりにシャッターの端に枕部４６ｂを配置して、スライド式に蓋４６が開閉するようになっている。
【００３２】
さらに、開閉センサー１８の代わりに開閉センサー４８を出入り用扉１２の上端部に配置し、蓋４６を閉じるときは、蓋４６の端部に配置した枕部４６ｂが開閉センサー４８を押すことになり、これにより制御装置２２に蓋４６が閉じたことが伝えられ、図３に示す紫外線照射ランプ２１が点灯する。
【００３３】
図４は、蓋４６がしまりかけている状態を示しており、本変形例では、ボックス本体１１の上面に少し傾斜を付けていることにより、シャッターで構成された蓋４６はボックス本体１１から人が出ると自動的に閉まる構成となっている。なお、閉まろうとする力は僅かとし、人の首に負担がかからない程度とするのが好ましい。これにより、蓋４６を閉め忘れることを防止でき、確実に紫外線による殺菌を行うことができる。
【００３４】
次に、本発明の好ましい第２の実施形態につき、図５及び６を用いて説明する。
【００３５】
本実施形態によるサウナ５０は、第１の実施形態で示した開閉センサー１８を有しておらず、代わりに人感センサー５１を備えている点で、第１の実施形態と異なっている。その他の点については、第１の実施形態のサウナ１０と同様であるので説明は省略する。
【００３６】
図５は、本発明の好ましい第２の実施形態に係るサウナ５０の略断面図であり、図１のＡ−Ａ'線に沿った断面図に相当するものである。
【００３７】
図５に示すように、サウナ５０は、ボックス本体１１の底部であって、ボックス本体１１に人が入ったときに人のつま先近傍となる位置に人感センサー５１が配置されている。人感センサー５１は、ボックス内部の人の存否を検出し、制御装置２２にその情報を知らせる。
【００３８】
図６は、本発明の好ましい第２の実施形態に係るサウナ５０の略断面図であり、図１のＢ−Ｂ'線に沿った断面図に相当するものである。
【００３９】
図６に示すように、第１の実施形態と同様、ボックス本体１１上部裏面の端には紫外線照射ランプ２１が取り付けられている。紫外線照射ランプ２１は、図５に示す人感センサー５１からの情報に基づき制御装置２２によって点灯／消灯が制御されるようになっている。すなわち、人がボックス内にいるときは紫外線照射ランプ２１が消灯し、人がボックス内にいないときは紫外線照射ランプ２１が点灯するように制御装置２２により制御される。
【００４０】
人感センサー５１は、図５に示す位置に限らず、図６に示すように、例えばボックス本体１１前面に設置しても構わない。特に、子供がいたずら目的で中に入って出入り用扉１２や蓋１６を閉じて中に隠れるような危険性が高い場合は、人がボックス本体１１内に入っているときに邪魔にならない場所に複数個設置することが望ましい。
【００４１】
紫外線照射ランプ２１も、第１の実施形態と同様、図６に示す位置に限らず、ボックス本体１１内を確実に除菌でき、邪魔にならない場所であれば、１箇所でなく複数箇所に配置しても構わない。
【００４２】
このように、本実施形態によっても、第１の実施形態と同様の効果を得ることが可能である。
【００４３】
第１及び第２の実施形態においては、ボックス本体の内面（出入り用扉１２及び蓋１６を閉じた時の裏面も含む）に、無機コーティング材を塗布し、更にその上に光触媒コーティングを施しておくことが好ましい。これにより、紫外線照射ランプ２１が点灯した際、光触媒反応が起こり、より殺菌能力を高めることができる。光触媒コーティングは、アパタイトのように無機剤にホールドされたコーティング方法でも構わない。
【００４４】
また、第１の実施形態に示した開閉センサー１８と第２の実施形態に示した人感センサー５１は、併用することも可能である。このように、サウナが開閉センサー１８と人感センサー５１の両方を備えれば、ボックス本体１１内の人の存否をより確実に検知し、紫外線照射ランプ２１の点灯／消灯を制御することが可能となる。
【００４５】
本発明は、以上の実施形態に限定されることなく、本発明の趣旨を逸脱しない範囲内で種々の変更を加えることが可能であり、これらも本発明の範囲に包含されるものであることは言うまでもない。
【図面の簡単な説明】
【００４６】
【図１】本発明の好ましい第１の実施形態に係るサウナ１０の外観を示す略斜視図である。
【図２】図１のＡ−Ａ'線に沿ったサウナ１０の略断面図である。
【図３】図１のＢ−Ｂ'線に沿ったサウナ１０の略断面図である。
【図４】本発明の好ましい第１の実施形態に係るサウナの変形例を示す略断面図である。
【図５】本発明の好ましい第２の実施形態に係るサウナ５０の略断面図であり、図１のＡ−Ａ'線に沿った断面図に相当するものである。
【図６】本発明の好ましい第２の実施形態に係るサウナ５０の略断面図であり、図１のＢ−Ｂ'線に沿った断面図に相当するものである。
【符号の説明】
【００４７】
１０      サウナ
１１      ボックス本体
１２      出入り用扉
１３      蝶番
１４      取っ手
１５      開口
１５ｓ      開口の側面
１６      蓋
１６ａ      蓋の板部
１６ｂ      蓋の枕部
１６ｓ      底面
１７      蝶番
１８      開閉センサー
１９      椅子
１９ａ      座板
１９ｂ      背板
２０      蒸気発生装置
２１      紫外線照射ランプ
２２      制御装置
４０      サウナ
４６      蓋
４６ａ      蓋のシャッター
４６ｂ      蓋の枕部
４８      開閉センサー
５０      サウナ
５１      人感センサー
【図１】
2008035985.tif 000003
【図２】
2008035985.tif 000004
【図３】
2008035985.tif 000005
【図４】
2008035985.tif 000006
【図５】
2008035985.tif 000007
【図６】
2008035985.tif 000008